(57)【要約】【課題】  本考案は、マイナンバーカード等の、みだりに見られることを防ぎたいという要求と、容易に参照することが可能であるという二律背反する要求を満足することができるカード用シートを開発する。【解決手段】カード用シート１の一方の主面に持続性を有する粘着層があって、複数回に渡ってマイナンバーカード１０に対して貼り剥がし可能である。カード用シート１には透明部分と隠蔽印刷部（隠蔽部分）５６がある。マイナンバーカード１０に対する装着時には隠蔽部分５６が個人番号１６の一部または全部と重なって個人番号１６が隠蔽される。【選択図】図５
0003214477.tif 000002
【実用新案登録請求の範囲】
【請求項１】
所有者に特有の符号及び／又は文字が印字されたカードに装着されるカード用シートであって、
少なくとも一部に持続性を有する粘着層があって当該部分を複数回に渡って前記カードに対して貼り剥がし可能であり、
透明部分と隠蔽部分があり、前記カードに対する装着時には前記隠蔽部分が前記符号及び／又は文字の一部または全部と重なって前記符号及び／又は文字が隠蔽されることを特徴とするカード用シート。
【請求項２】
一方の主面の略全面に持続性を有する粘着層があって、複数回に渡って前記カードに対して全面的に貼り剥がし可能であることを特徴とする請求項１に記載のカード用シート。    
【請求項３】
隠蔽部分は不透明であることを特徴とする請求項１又は２に記載のカード用シート。
【請求項４】
隠蔽部分には意味の無い符号／又は文字を含む模様が付されていることを特徴とする請求項１乃至３のいずれかに記載のカード用シート。
【請求項５】
前記符号／又は文字はカードの一方の辺に寄った位置に印字されており、カード用シートの前記辺に相当する部位に、当該カード用シートを手指で捲る際のきっかけとなるきっかけ部が形成されていることを特徴とする請求項１乃至４のいずれかに記載のカード用シート。
【請求項６】
一部に切り欠き部があることを特徴とする請求項１乃至５のいずれかに記載のカード用シート。
【請求項７】
前記カードには拾得時の連絡先が印字されており、前記カードに対する装着時には透明部分が連絡先の印字部分に重なって外部から視認可能であることを特徴とする請求項１乃至６のいずれかに記載のカード用シート。
【請求項８】
前記カードはマイナンバーカードであり、前記符号が個人番号であることを特徴とする請求項１乃至７のいずれかに記載のカード用シート。
【請求項９】
マイナンバーカードに装着されるカード用シートであって、前記マイナンバーカードには個人番号と拾得時の連絡先が印字されており、前記個人番号は前記マイナンバーカードの特定辺に寄った位置に印字されており、
カード用シートの一方の主面に持続性を有する粘着層があって、複数回に渡って前記マイナンバーカードに対して全面的に貼り剥がし可能であり、
カード用シートの前記特定辺に対応する部位に、当該カード用シートを手指で捲る際のきっかけとなるきっかけ部が形成されており、
カード用シートには透明部分と隠蔽部分があり、
隠蔽部分は不透明であって模様が印刷されており、
前記マイナンバーカードに対する装着時には前記隠蔽部分が個人番号の一部または全部と重なって個人番号が隠蔽され、透明部分が連絡先の印字部分に重なって連絡先が外部から視認可能であることを特徴とするカード用シート。
【考案の詳細な説明】
【技術分野】
【０００１】
本考案は、マイナンバーカードや運転免許証、健康保険被保険者証、クレジットカード、会員カード等の所有者に特有の符号が印字されたカードに装着されるカード用シートに関するものである。
【背景技術】
【０００２】
平成２５年に、「行政手続における特定の個人を識別するための番号の利用等に関する法律」が成立した。そしてこの法律に基づき、各個人に当該個人を識別する１２桁の番号が付与された。
平成２８年より、税や社会保険の手続きでのマイナンバー（個人番号）の利用が始まった。
また同年より、マイナンバーカードの交付が始まっている。
マイナンバーカードは、一枚で個人番号の確認と、身分確認を行うことが可能であり、今後、各方面における利用が期待されている。
【０００３】
マイナンバーカードには、個人番号の他、個人の氏名、生年月日、住所等が記載されている。
【０００４】
特許文献１には、本考案に関連する技術として保護フィルムが開示されている。
【先行技術文献】
【特許文献】
【０００５】
【特許文献１】特開２０１６−３６１２６号公報
【考案の概要】
【考案が解決しようとする課題】
【０００６】
マイナンバーカードには、前記した様に個人番号が印字されている。個人番号は個人を特定する番号であり、行政手続き等がこの番号に基づいて行われるので、他人に知られると悪用される恐れがある。
そのためマイナンバーカードに印字された個人番号は、みだりに他人に見せるべきものではない。
従って、何らかの方法で、個人番号が見えないようにすることが望まれる。
【０００７】
その一方で、個人番号は１２桁の番号であるから、自己の個人番号を正確に暗記している者は皆無である。従って、必要な時にはマイナンバーカードに印字された番号を確認することができなけれはならない。
この様に、マイナンバーカードは、みだりに見られることを防ぎたいという要求があり、且つ容易に参照することが可能であることが望ましいという二律背反する要求がある。
また運転免許証、健康保険被保険者証、クレジットカード、会員カード等についても同様の要求がある。
【０００８】
本考案は、マイナンバーカード等の前記した二律背反する要求を満足することができるカード用シートを開発することを課題とするものである。
【課題を解決するための手段】
【０００９】
上記した課題を解決するための請求項１に記載の考案は、所有者に特有の符号及び／又は文字が印字されたカードに装着されるカード用シートであって、少なくとも一部に持続性を有する粘着層があって当該部分を複数回に渡って前記カードに対して貼り剥がし可能であり、透明部分と隠蔽部分があり、前記カードに対する装着時には前記隠蔽部分が前記符号及び／又は文字の一部または全部と重なって前記符号及び／又は文字が隠蔽されることを特徴とするカード用シートである。
【００１０】
ここで符号には、数字、仮名、アルファベット、ギリシャ文字等を含む。
所有者に特有の符号には、ＩＤ（ＩＤｅｎｔｉｆｉｃａｔｉｏｎ  身分確認）、パスワード  暗証番号等を含む。
所有者に特有の文字には氏名、通名、住所、居所、本籍、所属企業、所属学校等がある。
【００１１】
請求項２に記載の考案は、一方の主面の略全面に持続性を有する粘着層があって、複数回に渡って前記カードに対して全面的に貼り剥がし可能であることを特徴とする請求項１に記載のカード用シートである。
【００１２】
請求項３に記載の考案は、隠蔽部分は不透明であることを特徴とする請求項１又は２に記載のカード用シートである。
【００１３】
請求項４に記載の考案は、隠蔽部分には意味の無い符号／又は文字を含む模様が付されていることを特徴とする請求項１乃至３のいずれかに記載のカード用シート。
である。
【００１４】
請求項５に記載の考案は、前記符号／又は文字はカードの一方の辺に寄った位置に印字されており、カード用シートの前記辺に相当する部位に、当該カード用シートを手指で捲る際のきっかけとなるきっかけ部が形成されていることを特徴とする請求項１乃至４のいずれかに記載のカード用シートである。
【００１５】
請求項６に記載の考案は、一部に切り欠き部があることを特徴とする請求項１乃至５のいずれかに記載のカード用シートである。
【００１６】
請求項７に記載の考案は、前記カードには拾得時の連絡先が印字されており、前記カードに対する装着時には透明部分が連絡先の印字部分に重なって外部から視認可能であることを特徴とする請求項１乃至６のいずれかに記載のカード用シートである。
【００１７】
請求項８に記載の考案は、前記カードはマイナンバーカードであり、前記符号が個人番号であることを特徴とする請求項１乃至７のいずれかに記載のカード用シートである。
【００１８】
請求項９に記載の考案は、マイナンバーカードに装着されるカード用シートであって、前記マイナンバーカードには個人番号と拾得時の連絡先が印字されており、前記個人番号は前記マイナンバーカードの特定辺に寄った位置に印字されており、カード用シートの一方の主面に持続性を有する粘着層があって、複数回に渡って前記マイナンバーカードに対して全面的に貼り剥がし可能であり、カード用シートの前記特定辺に対応する部位に、当該カード用シートを手指で捲る際のきっかけとなるきっかけ部が形成されており、カード用シートには透明部分と隠蔽部分があり、隠蔽部分は不透明であって模様が印刷されており、前記マイナンバーカードに対する装着時には前記隠蔽部分が個人番号の一部または全部と重なって個人番号が隠蔽され、透明部分が連絡先の印字部分に重なって連絡先が外部から視認可能であることを特徴とするカード用シートである。
【考案の効果】
【００１９】
本考案のカード用シートをマイナンバーカード等に装着すると、個人番号等の悪用されやすい情報が隠蔽され、容易に見えない状態とすることができる。また必要に応じてカード用シートを剥がすと、マイナンバーカード等に印字された情報を確認することができる。また本考案のカード用シートでは、カード用シートに形成された粘着層は、持続性を有するものであって、複数回に渡って貼り剥がし可能である。そのため個人番号等を確認しした後、再度カード用シートをマイナンバーカード等に貼り付け、個人番号等を隠すことができる。
【図面の簡単な説明】
【００２０】
【図１】マイナンバーカードの裏面図である。
【図２】図１のマイナンバーカードの表面図である。
【図３】本考案の実施形態のカード用シートの正面図である。
【図４】（ａ）は、図３のカード用シートの断面図であり、離型フィルムを一部捲った状態を示し、（ｂ）はカード用シートをマイナンバーカードに貼りつけた状態の一部拡大断面図である。
【図５】マイナンバーカードとカード用シートの位置関係を示す斜視図である。
【図６】（ａ）は、マイナンバーカードにカード用シートを貼りつけた状態の斜視図であり、（ｂ）は、マイナンバーカードからカード用シートを捲り取らんとする状態の斜視図である。
【図７】（ａ）は、マイナンバーカードにカード用シートを貼りつけた状態の正面図であり、（ｂ）は、マイナンバーカードからカード用シートを捲り取った状態の正面図である。
【図８】（ａ）は、本考案の他の実施形態のカード用シートをマイナンバーカードに貼りつけた状態の断面図であり、（ｂ）はカード用シートの一部をマイナンバーカードから剥がした状態の一部拡大断面図である。
【図９】（ａ）乃至（ｄ）は、カード用シートを装着可能なカードの例を示す正面図である。
【考案を実施するための形態】
【００２１】
以下さらに本考案の実施形態について説明する。
本実施形態のカード用シート１は、マイナンバーカード１０に装着することを目的として作られたものである。
最初にマイナンバーカード１０の構成について説明する。
マイナンバーカード１０は、機能的にはＩＣカードであり、図１の様に、樹脂製の基材１１に、ＩＣチップ１２と、磁気記録部１３が設けられたものである。
【００２２】
またマイナンバーカード１０の裏面には、所定事項が印刷されている。
具体的には、拾得時の連絡先表示１５、個人番号１６、氏名表示１７、誕生日表示１８、マトリックス型二次元コード２０及び注意事項２１が印字されてる。
実施例に沿って説明すると、拾得時の連絡先表示１５として「このカードを拾得された方は、お手数ですが、下記連絡先までご連絡下さい」という案内と、具体的な連絡先の電話番号が表示されている。
【００２３】
個人番号１６として、１２桁の番号たる「３１４１５９２６５３５９」の符号が印字されている。
氏名表示１７として「平賀源内」の表示がある。誕生日表示１８として、「昭和３３年９月２０日生」と表示されている。
【００２４】
マイナンバーカード１０の基材１１は、長方形であり、図１の姿勢を基準として、上側長辺３０と、下側長辺３１、右短辺３２、左短辺３３を有している。
裏面側のレイアウトに注目すると、個人番号１６は、中心から斜め上側に偏心した位置にあり、中心よりも右短辺（特定辺）３２側に寄った位置に印字されている。
拾得時の連絡先表示１５は、上側長辺３０の近傍に、上側長辺３０に対して平行に印字されている。
【００２５】
また表面には、図２の様に、写真欄３５の他、氏名表示２２と、住所表示２３、誕生日表示２５、有効期限表示２６、臓器提供意思表示２７等がある。
【００２６】
次にカード用シート１について説明する。
カード用シート１は、図４（ａ）の様に、透明ポリエステル等の樹脂製の基材４０の表面（表側主面）側に印刷適正処理層４１が積層されたものである。
また基材４０の裏面（裏側主面）側には、粘着層４５が積層され、さらに粘着層４５に離型フィルム４６が装着されている。本実施形態では、基材４０の裏側主面の全面に粘着層４５が設けられている。
【００２７】
粘着層４５は、エア抜け性が優れた自己粘着層である。即ち粘着層４５は、ねばねばした粘着性が長く持続する層である。そのため離型フィルム４６を剥がしてカード用シート１を平滑面に押し付けると、粘着層４５によってカード用シート１が接着される。
しかし粘着層４５の接着力は強くはなく、手指で容易に剥がすことができる。
しかし粘着層４５は、持続性を有していてねばねばした物性は維持される。そのため再度粘着層４５を平滑面に押しつけると、粘着層４５によってカード用シート１が再度接着され、最初と同等の接着力が発現される。
【００２８】
基材４０は、マイナンバーカード１０と略同じ大きさの長方形であり、図３の姿勢を基準として、上側長辺５０と、下側長辺５１、右短辺５２、左短辺５３を有している。
ただし右短辺５２には、切り欠き５５が設けられている。本実施形態では、切り欠き５５は、カード用シート１を手指で捲る際のきっかけとなるきっかけ部として機能する。
【００２９】
カード用シート１は、大半の領域が透明であり、一部に印刷が施されている。
本実施形態では、隠蔽印刷部（隠蔽部分）５６と、第一模様部５７及び第二模様部５８がある。
隠蔽印刷部５６は、上側長辺５０寄りの位置であって且つ上側長辺５０と平行に帯状上に延び、右短辺５２側に寄った領域にある。
隠蔽印刷部５６には、黒字の不透明バックに意味の無い数字が模様として描かれている。
【００３０】
第一模様部５７は、左短辺５３の近傍にあり、円と半円が繋がった模様である。
第二模様部５８は、下側長辺５１から上に延び、先端が曲がった模様である。
【００３１】
次にカード用シート１の使用方法について説明する。カード用シート１は、裏面の離型フィルム４６が剥がされ、図５、図４（ｂ）の様に、マイナンバーカード１０に貼って使用される。
カード用シート１は、マイナンバーカード１０と略同じ形状であって同じ大きさである。そのためカード用シート１は、マイナンバーカード１０の全表面を覆うこととなる。
【００３２】
ここでカード用シート１の隠蔽印刷部（隠蔽部分）５６の位置は、マイナンバーカード１０の個人番号１６が印字された領域に相当する。そのためカード用シート１が、マイナンバーカード１０に装着されると、隠蔽印刷部５６がマイナンバーカード１０の個人番号１６と全面的に重なり、１２桁の数字を全て覆い隠す。そのためカード用シート１が、マイナンバーカード１０に装着されると、隠蔽印刷部５６で個人番号１６が隠されて個人番号１６を視認することが出来ない。
【００３３】
カード用シート１の粘着力は、それほど強くはないので、手指によってカード用シート１を捲り取ることができる。ここで本実施形態では基材４０の右短辺５２に切り欠き５５が設けられているから、切り欠き５５に爪を引っかける等によって、カード用シート１を剥ぐことができる。
その結果、個人番号１６の部分が露出し、個人番号１６を見ることができる。
【００３４】
カード用シート１の粘着力は、持続性があるので、カード用シート１を再度マイナンバーカード１０に押し当てると、カード用シート１は元通りにマイナンバーカード１０に貼り付く。
【００３５】
またカード用シート１を完全にはぎ取るまでもなく、図６（ｂ）の様に、一部を残して捲っても、個人番号１６の部分を露出させることができる。
特に、本実施形態では、切り欠き５５が個人番号１６が偏心して印字された側の辺に設けられているから、切り欠き５５を端緒としてカード用シート１を捲ると、左短辺５３側の接着領域を残した状態で、個人番号１６を確認することができる。
図６（ｂ）の様に、一部を残して捲ると、カード用シート１を再度マイナンバーカード１０に貼る場合の位置決めが容易である。
【００３６】
以上説明した実施形態では、カード用シート１の裏面（裏側主面）の全体に粘着層４５があり、且つ粘着層４５は、均質であっていずれも粘着力は強くはなく、手指で容易に剥がすことができるものである。
【００３７】
これに代わって、図８（ａ）の様に、カード用シート１の裏面を２つの領域に分け、一方に先の実施形態と同様の粘着層４５を設け、他の領域に強力に接着層４８を設ける構成も考えられる。
本構成によると、図８（ｂ）の様に、個人番号１６が表示されている領域だけが貼り剥がし可能となる。そのため使用者は、カード用シート１の一部だけを捲って個人番号１６を確認することができる。
【００３８】
以上説明した実施形態では、隠蔽印刷部５６がマイナンバーカード１０の個人番号１６と全面的に重なっているが、一部だけが重なっていてもよい。
【００３９】
以上説明した実施形態では、カード用シート１は、マイナンバーカード１０に装着されるものであったが、他のカードにカード用シート１を試用してもよい。
例えば図９（ａ）に示す運転免許証６０であれば、免許証番号６１を隠す用途に使用してもよい。
図９（ｂ）に示す健康保険証６２であれば、保険証番号６３を隠す用途に使用してもよい。
図９（ｃ）に示すクレジットカード６５であれば、カード番号７０を隠す用途に使用してもよい。
図９（ｄ）に示す会員カード６７であれば、会員番号６８を隠す用途に使用してもよい。
【００４０】
またカード用シート１で隠蔽する対象は、番号だけではなく、アルファベット等の文字が含まれていてよい。またアルファベット等の文字だけで構成されていてもよい。
カード用シート１で隠蔽する対象は、上記した個人番号１６、免許証番号６１、保険証番号６３、カード番号７０、会員番号６８の他、ＩＤ（ＩＤｅｎｔｉｆｉｃａｔｉｏｎ
身分確認）、パスワード、暗証番号等が考えられる。
また氏名、通名、住所、居所、本籍、所属企業、所属学校等をカード用シート１の隠蔽部分で隠蔽してもよい。
【００４１】
上記した実施形態では、基材１１の一部に切り欠き５５を設けて手指をひっかけるきっかけ部としたが、逆に基材１１の辺の一部に舌状の突出片を設け、当該突出片をきっかけ部とし、これを摘んでカード用シート１を捲ってもよい。或いは基材１１の表面側（主面）に突起や突出部を設けてきっかけ部を作り、これに爪等を引っ掛けてカード用シート１を捲ってもよい。
【符号の説明】
【００４２】
１  カード用シート
１０  マイナンバーカード
１５  拾得時の連絡先表示
１６  個人番号
３２  右短辺（特定辺）
４５  粘着層
５５  切り欠き
５６  隠蔽印刷部（隠蔽部分）
【図１】
0003214477.tif 000003
【図２】
0003214477.tif 000004
【図３】
0003214477.tif 000005
【図４】
0003214477.tif 000006
【図５】
0003214477.tif 000007
【図６】
0003214477.tif 000008
【図７】
0003214477.tif 000009
【図８】
0003214477.tif 000010
【図９】
0003214477.tif 000011